(57)【特許請求の範囲】
【請求項１】
支軸に、遊技盤面に沿って回動する前挟止片と、前挟止片と一体に回動する偏心カムとが所要間隔をおいて挿着され、かつ、前記偏心カムにより上下動される後挟止片がバネにより支軸と直交する方向に付勢されて挿着されている係止部材を、遊技機枠の少なくとも一方の内側面の上下に配設して、前挟止片を回動して偏心カムを回転させることにより後挟止片が突出して、遊技盤端部を前挟止片と後挟止片とで挟み付けるようにしたことを特徴とする遊技盤の取付構造。
【請求項２】
後挟止片を、バネの付勢方向に遊技盤裏面との間隔が狭くなる傾斜面上を摺動するものとして、後挟止片の突出により遊技盤を前方に押圧して遊技盤を前後方向に正しく位置決めするようにした請求項１に記載の遊技盤の取付構造。
【請求項３】
前挟止片の軸部に周方向に延びる弾性片を設けて、前挟止片を回動したときに前記弾性片が遊技盤を横方向に押圧して遊技盤を左右方向に正しく位置決めするようにした請求項１または２に記載の遊技盤の取付構造。
【請求項４】
係止部材を遊技機枠内側の上下左右の４コーナーに配設した請求項１〜３の何れかに記載の遊技盤の取付構造。
【発明の詳細な説明】
【技術分野】
【０００１】
本発明は、遊技盤を機枠に着脱自在に取り付けるためのパチンコ機における遊技盤の取付構造に関するものである。
【背景技術】
【０００２】
パチンコ機においては、遊技盤の交換がパチンコ機の前面または後面から簡単に行えることが求められる。特に新しい遊技盤と入れ替える際には現在使用中のパチンコ機を対象とするために、交換作業が迅速に行えることに加え、入れ替えた遊技盤が定められた位置に正確かつ堅固に固定されることが必要である。
【０００３】
遊技盤の取付構造として、例えば特許２６２５６５５号公報には、内板と外板とを有するセットプレートを用いて遊技盤の前後の基準面を位置決めしたうえに、前挟止片と後挟止片とを有する遊技盤押えを用いて、遊技盤端面を挟み付けて固定する遊技盤セット機構が開示されている。
しかしながら、上記遊技盤セット機構においては、セットプレートを遊技盤端面にいちいち当接する作業を必要とし、一工程で簡単に取付作業を行うことができない。また、遊技盤の厚みや幅には多少なりといえども製作上の寸法誤差は生ずるが、特に上記セット盤機構は幅方向に対して位置決め機能を有していないので、パチンコ機台によっては遊技盤が十分正確にかつ堅固に固定されないという問題がある。さらに、前挟止片と後挟止片とが別個に回動するので遊技盤の挟み付け作業がしづらいという問題があった。
【先行技術文献】
【特許文献】
【０００４】
【特許文献１】特許第２６２５６５５号公報 (図６)
【発明の概要】
【発明が解決しようとする課題】
【０００５】
本発明は上記したような従来の問題点を解決して、セットプレートなどの別部品を必要とせず簡単な操作で正確かつ確実に固定することができる遊技盤の取付構造を提供するためになされたものである。
【課題を解決するための手段】
【０００６】
本発明の遊技盤の取付構造は、支軸に遊技盤面に沿って回動する前挟止片と、前挟止片と一体に回動する偏心カムとが所要間隔をおいて挿着され、かつ、前記偏心カムにより上下動される後挟止片がバネにより支軸と直交する方向に付勢されて挿着されている係止部材を、遊技機枠の少なくとも一方の内側面の上下に配設して、前挟止片を回動して偏心カムを回転させることにより後挟止片が突出して、遊技盤端部を前挟止片と後挟止片とで挟み付けるようにしたことを特徴とするものである。
【０００７】
上記した発明において、後挟止片を、バネの付勢方向に遊技盤裏面との間隔が狭くなる傾斜面上を摺動するものとして、後挟止片の突出により遊技盤を前方に押圧して遊技盤を前後方向に正しく位置決めすることができ、前挟止片の軸部に周方向に延びる弾性片を設けて、前挟止片を回動したときに前記弾性片が遊技盤を横方向に押圧して遊技盤を左右方向に正しく位置決めすることもできる。
以上のような係止部材は、遊技機枠内側の上下左右の４コーナーに配設することができる。
【発明の効果】
【０００８】
本発明の遊技盤の取り付け構造は、支軸に遊技盤面に沿って回動する前挟止片と偏心カムとを所要間隔を置いて枢着したうえに、さらにバネにより支軸と直交する方向に付勢される後挟止片を偏心カムにより上下動可能にして支軸に遊嵌した係止部材を、遊技機枠の内側面に適宜配設して、前挟止片を回動して偏心カムを回転させることにより後挟止片が突出するようにしたので、遊技盤端部を前挟止片と後挟止片とで挟み付けることができる。
上記発明において、後挟止片をバネの付勢方向に遊技盤裏面との間隔が狭くなる傾斜面上を摺動するものとしたので、後挟止片は突出するにつれて前方に押圧される。よって、後挟止片が遊技盤を前方に押圧して遊技盤を前後方向に正しく位置決めすることができる。さらに、前挟止片の軸部に周方向に延びる弾性片を設けたので、前挟止片を回動したときに前記弾性片が遊技盤を横方向に押圧して遊技盤を左右方向に正しく位置決めすることができる。
また、係止部材を遊技機枠内側の上下左右の４コーナーに配設することにより、遊技盤支持用の部材を全て同一構造のものとして製造コストを低減することができる。
【図面の簡単な説明】
【０００９】
【図１】参考例としての遊技盤の取付構造を示す正面図である。
【図２】参考例としての遊技盤の取付構造の要部を示す正面図(ａ)、図ａのＡ−Ａ線断面図（ｂ）、図ａのＢ−Ｂ線断面図（ｃ）である。
【図３】前挟止片の詳細を示す正面図(ａ)、平面図（ｂ）、図ａのＣ−Ｃ線断面図（ｃ）である。
【図４】後挟止片の詳細を示す正面図(ａ)、平面図（ｂ）、図ｂのＤ−Ｄ線断面図（ｃ）である。
【図５】遊技盤挟止前の遊技盤の取付構造の要部を示す正面図(ａ)、水平断面図（ｂ）、垂直断面図（ｃ）である。
【図６】遊技盤挟止途中の遊技盤の取付構造の要部を示す正面図(ａ)、水平断面図（ｂ）、垂直断面図（ｃ）である。
【図７】遊技盤挟止後の遊技盤の取付構造の要部を示す正面図(ａ)、水平断面図（ｂ）、垂直断面図（ｃ）である。
【図８】遊技機枠の４コーナーに係止部材を配設した遊技盤の取付構造の正面図である。
【図９】遊技盤挟止前である実施形態の遊技盤の取付構造の要部を示す正面図(ａ)、後挟止片と偏心カムの正面図（ｂ）、要部垂直断面図（ｃ）である。
【図１０】遊技盤挟止後である実施形態の遊技盤の取付構造の要部を示す正面図(ａ)、後挟止片と偏心カムの正面図（ｂ）、要部垂直断面図（ｃ）である。
【発明を実施するための形態】
【００１０】
以下に図面を参照しつつ本発明の好ましい実施形態を説明する。
図１は遊技盤の取付構造の参考例としての形態を示す図であって、１は遊技機枠、２は遊技盤であって、遊技盤２は一方が遊技機枠１の内側面１ａの上下コーナーに設けた二つの支持部材３により保持され、他方が遊技機枠１の内側面１ａの上下コーナーに設けた二つの係止部材４により着脱自在に装着されている。なお、遊技盤２には遊技機枠１に装着時に係止部材４の一部を通過させるための取付用凹部５が形成されている。
【００１１】
図２に支持部材３、係止部材４の詳細を示す。支持部材３は２枚の後側支持片１１ａ、１１ｂと１枚の前側支持片１２とからなり、挿入された遊技盤２を前後から弾力を持って挟持する。
係止部材４は、支軸４１に、遊技盤面に沿って回動する前挟止片４２と、遊技盤裏面に沿って前挟止片４２と一体に回動する後挟止片４３と、後挟止片４３を前挟止片４２方向に付勢するバネ４４Ａとが装着されたものであり、支軸４１の下端が遊技機枠１の取付用穴部１３に挿し込まれ、上端は板材１４を介して遊技機枠１に螺着されている。
【００１２】
前挟止片４２は図３に示す構造のものであって、軸部４２ａと、これに延接された係止部４２ｂと、遊技盤前面に摺接する平坦隆起部４２ｃと、軸部４２ａから周方向に突出した弾性片４２ｄと、嵌合用突起４２ｆと、摘み部４２ｇとを備えている。なお、平坦隆起部４２ｃの締め付け回動時前側となる部位には傾斜面４２ｅが形成してあって遊技盤２の締め付けを円滑に行うと共に、平坦隆起部４２ｃが締め付け時の緩み止め機能をもたらす。
【００１３】
また、後挟止片４３は図４に示す構造のものであって、軸部４３ａと、これに延接された係止部４３ｂと、締め付け回動時前側となる部位に傾斜面４３ｃを有する山形突起４３ｄと、係止部４３ｂに対して略直角方向に突接された突起４３ｅと、前記嵌合用突起４２ｆが嵌め込まれる嵌合凹部４３ｆとを備えている。
そして、弾性片４２ｄと突起４３ｅが反対向きに位置するように、前挟止片４２と後挟止片４３とが組み合わされたうえに、支軸４１にバネ４４Ａとともに装着されて、一つの係止部材４となしてある。
【００１４】
遊技盤の取付に当っては、始めに図５に示すように遊技盤２を遊技機枠１に嵌め込む。この状態では前挟止片４２、後挟止片４３とも上向きであって、また、弾性片４２ｄは支軸４１の外側、突起４３ｅは支軸４１の内側に位置している。
そして、前挟止片４２を回動すれば後挟止片４３も一体に回動されて、図６の状態を経て図７の状態となり、遊技盤２の端部が上方から前挟止片４２と後挟止片４３とによって挟止される。詳しくは前挟止片４２の平坦隆起部４２ｃと、後挟止片４３の山形突起４３ｄによる挟み付けと、バネ４４Ａの遊技盤２前方への付勢によって係止部材４が緩むことなく遊技盤２を固定する。バネ４４Ａが遊技盤２を前方に押圧することにより、遊技盤２は前後方向の位置を正確に設定されて固定される。
【００１５】
さらに、前係止片４２の回動により弾性片４２ｄが取付用凹部５の側面に摺接するとともに、後係止片４３の突起４３ｅが遊技機枠１の内側面１ａに摺接される。弾性片４２ｄは遊技盤２の取付用凹部５側面を横方向に押圧する。その反力により支軸４１が撓むことを反対側に位置する突起４３ｅが遊技機枠の内側に当接して防ぐ。したがって、遊技盤２の左右方向の位置を正確に所定の位置に設定することができる。
以上に示した遊技盤２の取り付け構造によれば、遊技盤２を支持部材３に挿し込んで遊技機枠１に嵌め込んだ後に、係止部材４の前挟止片４２を回動するだけで、前後左右の位置を正しく設定して確実に遊技盤２を遊技機枠１に取り付けることができる。
【００１６】
なお、上記係止部材３は上下逆向きとしてもよい。又、図８に示すように、遊技機枠１の内側４コーナーに配設することによっても、前後左右の位置を正しく設定して確実に遊技盤２を遊技機枠１に取り付けることができる。
【００１７】
図９は、本発明に係る遊技盤の取付構造の実施形態を示す図であって、係止部材４は、遊技盤面にそって回動する前挟止片４４と、前挟止片４４と一体に回動する偏心カム７と、偏心カム７により上下動される後挟止片４５とからなる。前挟止片４４と偏心カム７とは第１バネ９を介在して支軸４６に所要間隔を置いて挿着されている。また、後挟止片４５は偏心カム７が係合穴部４５ｈに装入され、第２バネ６により支軸４６と直交する方向(下向き)に付勢されている。
【００１８】
遊技盤２の挟止前においては、前挟止片４４と偏心カム７とは上方を向いており、偏心カム７が第２バネ６の弾発力に抗して後挟止片４５を押し上げており、この状態で遊技盤２が遊技機枠１にセットされる。
遊技盤２のセットが完了したのちに前挟止片４４を１８０°回動すれば、偏心カム７の押し上げが解除されて後挟止片４５は第２バネ６により弾発されて下方に突出するので、図１０に示すように、遊技盤２端部を前挟止片４４と後挟止片４５とで挟み付けることができる。
【００１９】
ここで、後挟止片４５の係止部４５ｂは前側が平坦で後側が先端に向けて縮幅されており、遊技機枠１にはこれに対応して第２バネ６の付勢方向に遊技盤裏面との間隔が狭くなる傾斜面１５が形成されている。したがって、後挟止片４５が突出することにより係止部４５ｂは傾斜面１５上を滑り第１バネ９の弾発力に抗して前方に押出され、よって、遊技盤２を前方に押圧するので遊技盤面の前後位置を正確に位置決めすることができる。
【００２０】
また、前挟止片４４の軸部には周方向に延びる弾性片４４ｄを設けてあるので、前挟止片４４を回動したときに弾性片４４ｄが遊技盤２取付用凹部５側面を横方向に押圧する。したがって、遊技盤２の左右位置を正確に位置決めすることができる。
【００２１】
以上に説明したように、何れの実施形態の遊技盤の取付構造によっても、遊技盤の前後左右の位置を正しく設定して極めて簡便に遊技盤を遊技機枠に取り付けることができる。一方、遊技盤を取り外す時にも前挟止片を逆回転させるだけで極めて簡単に取り外すことができる。また、係止部材は幅が狭いものであるので遊技盤面を広く有効に活用できる。取付用凹部は形状が簡単であるので遊技盤の加工が容易である。係止部材は逆止機能を有するので容易に緩むことがないなど、本発明の遊技盤の取り付け構造は多くの利点を有する。
【符号の説明】
【００２２】
１      遊技機枠
２      遊技盤
４      係止部材
４１    支軸
４２    前挟止片
４２ｄ  弾性片
４３    後挟止片
４４    バネ
【図１】
0004410839.tif 000002
【図２】
0004410839.tif 000003
【図３】
0004410839.tif 000004
【図４】
0004410839.tif 000005
【図５】
0004410839.tif 000006
【図６】
0004410839.tif 000007
【図７】
0004410839.tif 000008
【図８】
0004410839.tif 000009
【図９】
0004410839.tif 000010
【図１０】
0004410839.tif 000011